(57)【要約】【課題】機器の小型化を充たしつつ、キャビネットの姿勢に合わせてシャッタ釦等の押し釦の回動位置を変えることができる機器を提供する。【解決手段】カメラ機器のキャビネット1の側方又はキャビネット1内には、押し釦であるシャッタ釦3を設けた回動片2が設けられ、回動片2の回動中心軸Ｌは、略水平に延びて前後方向に略直交している。シャッタ釦3が斜め前又は後であって上方を向くように回動片2を手で回動させれば、シャッタ釦3を押す状態で、キャビネット1の下端部が指又は掌で受けられる。これにより、シャッタ釦3を押す際に、撮影時の手ブレを防止することができる。【選択図】図３
2010231141.tif 000002
【特許請求の範囲】
【請求項１】
押して操作する押し釦を有するキャビネットを具えた機器であって、
キャビネットの側方又はキャビネット内には、押し釦を設けた回動片が枢支され、回動片の回動中心軸Ｌは、略水平に延びて前後方向に略直交していることを特徴とする機器。
【請求項２】
押し釦は撮影用のシャッタ釦である、請求項１に記載の機器。
【発明の詳細な説明】
【技術分野】
【０００１】
本発明は、押し釦を具えた機器、具体的には、キャビネットに対してシャッタ釦を前後回動自在に設けたカメラ機器に関する。
【背景技術】
【０００２】
従来から、キャビネットに対してシャッタ釦を前後回動自在に設けたカメラ機器が存在する(例えば、特許文献１参照)。これは、図９及び図１０に示すように、キャビネット(１)上に、台座(７)を回動自在に配備したカメラに関し、台座(７)の回動中心軸Ｌは、上下方向に対して角度θだけ傾いている。台座(７)には指で押し込むシャッタ釦(３)が設けられ、該シャッタ釦(３)は台座(７)の回動中心軸Ｌからずれている。台座(７)の回動により、シャッタ釦(３)は、図１０に実線で示す第１の位置と、点線で示す第２の位置の間を移動することができる、これにより、キャビネット(１)を把持する撮影者の姿勢に合わせて、シャッタ釦(３)の位置を違えることができる。
【先行技術文献】
【特許文献】
【０００３】
【特許文献１】実開昭６１−１０１７３２号公報
【発明の概要】
【発明が解決しようとする課題】
【０００４】
図９に示す従来の構成では、キャビネット(１)上に円板状の台座(７)を設ける必要があり、台座(７)はシャッタ釦(３)以上の大きさを有するから、キャビネット(１)上の面積を台座(７)に応じて広く設ける必要がある。これでは、機器の小型化たる市場の要望に反する。
本発明の目的は、機器の小型化を充たしつつ、キャビネット(１)の姿勢に合わせてシャッタ釦等の押し釦の回動位置を変えることができる機器を提供することにある。
【課題を解決するための手段】
【０００５】
キャビネット(１)の側方又はキャビネット(１)内には、押し釦を設けた回動片(２)が枢支(20)され、回動片(２)の回動中心軸Ｌは、略水平に延びて前後方向に略直交している。
【発明の効果】
【０００６】
回動片(２)の回動中心軸Ｌは、略水平に延びて前後方向に略直交しているから、回動片(２)はキャビネット(１)の側面に対向しながら回動する。回動片(２)の上面に押し釦が配備された場合でも、回動片(２)の上面面積は押し釦の大きさ以上で有れば足りる。
これにより、図９に示す従来の構成に比して、キャビネット(１)上の面積を小さくして、機器の小型化を充たしつつ、キャビネット(１)の姿勢に合わせてシャッタ釦等の押し釦の回動位置を変えることができる。シャッタ釦の回動位置を変えることができるから、シャッタ釦を押す際に、キャビネット(１)を他の指又は掌で支えることができ、撮影時の手ブレ防止に繋がる。
【図面の簡単な説明】
【０００７】
【図１】本例に係わるカメラ機器を背面から見た斜視図である。
【図２】図１のカメラ機器の右側面図であり、回動片を斜め前向きに傾けている。
【図３】図１のカメラ機器を右手で把持した状態を示す斜視図である。
【図４】図１のカメラ機器の右側面図であり、回動片を斜め後向きに傾けている。
【図５】図４のカメラ機器を右手で把持した状態を示す斜視図である。
【図６】本例のカメラ機器の斜視図であり、キャビネットを立てている。
【図７】図６のカメラ機器を右手で把持した状態を示す斜視図である。
【図８】別の例のカメラ機器を示す斜視図である。
【図９】従来のカメラ機器の側面図である。
【図１０】図９のカメラ機器の斜視図である。
【発明を実施するための形態】
【０００８】
以下、本発明の一実施例を図を用いて詳述する。
図１は、本例に係わるカメラ機器、具体的にはデジタルカメラを背面から見た斜視図である。キャビネット(１)の正面には鏡筒(６)が、背面には液晶パネル(10)が周知の如く配備され、鏡筒(６)の光軸Ｋは、前後方向に延びている。
キャビネット(１)の側方には、押し釦であるシャッタ釦(３)を上面に設けた回動片(２)が枢支(20)され、回動片(２)の回動中心軸Ｌは、略水平に延びて前後方向に略直交している。即ち、回動片(２)は前後方向を含む垂直面内にて回動する。
【０００９】
右利きの撮影者が片手で手ブレを抑えつつ、人差し指でシャッタ釦(３)を押す場合には、図２に示すように、シャッタ釦(３)が斜め前であって上方を向くように回動片(２)を手で回動させる。回動片(２)とキャビネット(１)の側面との間には、回動片(２)を該回動位置に軽く保持する係止機構(図示せず)が設けられており、撮影者がシャッタ釦(３)を押し込んでも、回動片(２)は不用意に回動しない。
図２の場合は、シャッタ釦(３)が押圧された際には、キャビネット(１)の下端後端部(12)が仮想線Ｍで示すように受けられる。
具体的には、図３に示すように、右手の人差し指(50)でシャッタ釦(３)を押すと、右手の中指(51)と親指(５)とでキャビネット(１)を挟持しつつ、キャビネット(１)の下端後端部(12)が親指(５)の付け根又は掌(52)で受けられる。即ち、シャッタ釦(３)を押す際に、キャビネット(１)をシャッタ釦(３)を押す指とは他の指又は掌(52)で支えることができ、撮影時の手ブレ防止に繋がる。
また、回動片(２)の上面にシャッタ釦(３)が配備されているから、回動片(２)の上面面積はシャッタ釦(３)の大きさ以上で有れば足り、カメラ機器の小型化も充たすことができる。
【００１０】
右利きの撮影者が片手で手ブレを抑えつつ、親指でシャッタ釦(３)を押す場合には、図４に示すように、シャッタ釦(３)が斜め後であって上方を向くように回動片(２)を手で回動させる。この場合、図４のキャビネット(１)の下端前端部(11)が仮想線Ｍで示すように受けられる。
具体的には、図５に示すように、右手の親指(５)でシャッタ釦(３)を押すと、右手の中指(51)と親指(５)とでキャビネット(１)を挟持しつつ、キャビネット(１)の下端前端部(11)が中指(51)で受けられる。即ち、シャッタ釦(３)を押す際に、キャビネット(１)をシャッタ釦(３)を押す指とは他の指で支えることができ、撮影時の手ブレ防止に繋がる。換言すれば、撮影者の姿勢によって、シャッタ釦(３)の回動位置を変えることによって、何れの姿勢でも撮影時の手ブレを防止することができる。
【００１１】
更に本例にあっては、図６に示すように、キャビネット(１)を立てた状態にて、回動片(２)をキャビネット(１)に対して略直交させ、シャッタ釦(３)を撮影者側に向けることができる。
このように、シャッタ釦(３)を向けると、図７に示すように、所謂縦撮りの状態にて、右手の掌(52)にキャビネット(１)を載せ、親指(５)以外の指でキャビネット(１)を把持しながら、シャッタ釦(３)を親指(５)で押すことができる。即ち、これによっても、シャッタ釦(３)を押す際に、キャビネット(１)をシャッタ釦(３)を押す指とは他の指又は掌で支えることができ、撮影時の手ブレ防止に繋がる。
【００１２】
上記例では、回動片(２)はキャビネット(１)の側方に位置しているとした。しかし、これに代えて、図８に示すように、キャビネット(１)の上端部に凹み(15)を形成し、該凹み(15)内に回動片(２)を回動自在に配備してもよい。この場合も、回動片(２)の回動中心軸Ｌは、前後方向に延びた鏡筒(６)の光軸Ｋと略直交している。
また、本例ではキャビネット(１)を右手で保持する場合を記載したが、キャビネット(１)を左手で保持してもよい。この場合は、回動片(２)はキャビネット(１)の左側面に配備されれば、撮影者にとって使い勝手がよい。
【００１３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【符号の説明】
【００１４】
(１)  キャビネット
(２)  回動片
(３)  シャッタ釦
(６)  鏡筒
【図１】
2010231141.tif 000003
【図２】
2010231141.tif 000004
【図３】
2010231141.tif 000005
【図４】
2010231141.tif 000006
【図５】
2010231141.tif 000007
【図６】
2010231141.tif 000008
【図７】
2010231141.tif 000009
【図８】
2010231141.tif 000010
【図９】
2010231141.tif 000011
【図１０】
2010231141.tif 000012